(57)【特許請求の範囲】
【請求項１】
接床基台と、該基台に回動自在に立設された支持ボルトと、該支持ボルトの上部に螺合されたレベル調整用ナットを介して高さ調整自在に装着された支持板とからなるユニット支持脚において、上記支持ボルトが、その下端部又は下部に側方に拡張された鍔部が形成され、かつ円筒体本体が所定位置より下部の大径部から上部の該大径部よりも小さな直径の小径部になだらかな傾斜部を介して移行するように成形され、該小径部の少なくとも上部の外周面にネジ部が形成されていると共に頂端部に回転工具用係合部が形成された上下に貫通する中空円筒体から成り、上記接床基台が、垂直方向の貫通孔を有し、該接床基台の下面に該貫通孔から側面に向けて延在する溝が形成されていることを特徴とするユニット支持脚。
【請求項２】
前記接床基台に、支持ボルトの下端部を収容するための凹部が形成されている請求項１に記載のユニット支持脚。
【請求項３】
前記支持ボルトの下端部に鍔部が形成され、前記接床基台内に該鍔部を受ける凹部が上方に開口するように形成され、該凹部の内壁部が前記貫通孔を囲繞する円筒状に形成されている請求項１に記載のユニット支持脚。
【請求項４】
前記支持ボルトの下端部及び／又は接床基台に抜け止め用の係合手段が設けられている請求項１又は２に記載のユニット支持脚。
【請求項５】
前記レベル調整用ナットが、支持ボルトのネジ部径と対応する内径の内周ネジ部を有する雌ネジ部と、該雌ネジ部の内径よりも大きな内径の円筒部とから成り、該円筒部又は雌ネジ部の所定位置外周面に側方に突出する支持部が形成されている請求項１乃至４のいずれか一項に記載のユニット支持脚。
【請求項６】
前記回転工具用係合部が、小径部の直径よりも小さな直径の円筒部から成り、該円筒部の頂端面に少なくとも一対の対向する溝部が形成されている請求項１乃至５に記載のユニット支持脚。
【請求項７】
前記回転工具用係合部が、小径部の直径よりも小さな外径寸法の外周部及び／又は内周部が多角形状の筒部から成り、該筒部の頂端面に少なくとも一対の対向する溝部を有し又は有さない請求項１乃至５に記載のユニット支持脚。
【発明の詳細な説明】
【０００１】
【発明の属する技術分野】
本発明は、ユニット支持脚及びそれに用いる支持ボルトに関し、特に戸建住宅や集合住宅等の各種建物において既存の基礎床面との間に空間を形成して二重床を構築するのに好適に用いられるユニット支持脚に関する。
【０００２】
【従来の技術】
従来、このような二重床を支持する装置としては、例えば特開平３−１７３４８号や実開平４−１１６５３７号などに、棒状脚部と該棒状脚部の上端部に上下調節可能に装着された受け板とからなるユニット支持脚により定尺の長方形及び／又は正方形の床パネルを支持する装置が開示されている。
従来知られているユニット支持脚の一例は図１３に示すとおりであり、ゴム、合成樹脂等の比較的硬質の弾性材料からなる接床基台１０２と、該基台１０２に回動自在に立設された支持ボルト１０４と、外周略中央部に側方に突設された環状の支持部１０９を有するレベル調整用ナット１０８と、中央部に上記レベル調整用ナット１０８の上部が嵌合される挿入孔１１１を有する正方形又は長方形の支持板１１０とから構成されている。
【０００３】
支持ボルト１０４は、下端部に側方に突出する環状の鍔部１０５が一体に設けられ、かつ上部にはネジ部１０６が形成されている。また支持ボルト１０４の頂端面には回転用工具先端を嵌め込むための溝部１０７が形成されている。そして、支持ボルト１０４の下端鍔部１０５を上記接床基台１０２の上方に開口する空洞部１０３に嵌挿することにより、支持ボルト１０４は接床基台１０２に回動自在に立設された状態となる。
一方、支持板１１０の挿入孔１１１上部は面取りされて拡開されている。上記レベル調整用ナット１０８はその支持部１０９が支持板１１０の下面に当接するまで該支持板１１０の挿入孔１１１に嵌合され、次いでその上部を拡開し、支持板挿入孔１１１の面取り部１１２に部分的に埋没させることによって、支持板１１０に強固に取り付けられる。それと共に、レベル調整用ナット１０８の上部には接着剤溜り１１３が形成される。なお、接着剤が流れ易いようにレベル調整用ナット１０８の内周ネジ部又は支持ボルト１０４の外周ネジ部には長手方向に１本又は数本の溝（図示せず）が形成されている。
【０００４】
このようにして支持板１１０の挿入孔１１１に嵌合されたレベル調整用ナット１０８に支持ボルト１０４のネジ部１０６上端部をねじ込むことによって、図１３に示すようにユニット支持脚１０１が組み立てられる。なお、支持板１１０の上面には両面粘着シート１１４が貼着されるか、又は接着層が形成されている。このような構造のユニット支持脚１０１は、支持ボルト１０４の頂端面に設けられた溝部１０７にドライバー等の回転用工具の先端を嵌め込んで支持ボルト１０４を回転させることにより、施工の際には床パネルからの荷重が支持板１１０を介してレベル調整用ナット１０８に付加されてその回転が抑制されているため、レベル調整用ナット１０８が上下動し、支持板１１０により支持されている床パネルの床面レベルを調整することができる。
【０００５】
以上のようにして組み立てられたユニット支持脚１０１を用いて二重床を構築する場合の施工例は、例えば図１４に示すように、まず部屋壁又は間仕切１２１の所定の高さに沿って際根太（又は根太ユニット）１２２を設け、その上にパーティクルボード、積層合板、木質繊維板等から作製された床パネル１２３の一辺を支持する。際根太に接しない床パネル１２３の他の縁部は、所定のピッチで基礎床（コンクリートスラブ）１２０上に配置したユニット支持脚１０１に片持たせの状態で載せて取り付ける。ユニット支持脚１０１と床パネル１２３の取付は、ユニット支持脚１０１の支持板１１０上面に貼着した両面粘着シート１１４等を介して行い、床パネル敷設時に床パネル１２３を両面粘着シート１１４に圧着して仮固定しておく。ユニット支持脚１０１の支持板１１０の挿入孔１１１は床パネル１２３の縁部から露出した状態とし、この挿入孔１１１を通してドライバー等により支持ボルト１０４を回し、床パネル１２３のレベル（又は支持板１１０の上面位）を調節する。
【０００６】
隣り合う床パネルも同様に、既に設置したユニット支持脚１０１上へ床パネル１２３のレベル調整ができる所定の間隙を開けて載せ、同様に他のユニット支持脚１０１を配置して取り付ける。このような作業を床パネルごと繰り返し、床パネルを所定面積施工し、床面レベルを調整した後、床パネル１２３からユニット支持脚１０１の支持板１１０に対して釘打ちし、床パネル１２３をユニット支持脚１０１に固定し、また接着剤溜り１１３から接着剤を注入し、レベル調整用ナット１０８と支持ボルト１０４との間を接着・固定する。その後、必要に応じて床パネル１２３の上にベニヤ板、木質繊維板等の捨張り材１２４を敷設するか、あるいは隣接する床パネル間の間隙を覆うように比較的剛性のある粘着テープを貼着した後、ＣＦシート、絨毯、畳、木質フロアー材等の床仕上げ材（図示せず）を敷設し、作業を完了する。
【０００７】
【発明が解決しようとする課題】
前記したような従来のユニット支持脚１０１の場合、支持ボルト１０４はその下端部の鍔部１０５と共に中実材から一体成形されているため、生産性が悪いと共に、コスト増大の大きな要因となっている。コストの面からは、床高が低い、即ち支持ボルト１０４の長さが短い場合にはそれ程大きな影響はないが、床高の高い二重床を施工する場合など、支持ボルト１０４の長さが長くなる程大きなコストアップの要因となっており、その対策が切実に求められている。
また、前記のようにして組み立てられたユニット支持脚１０１の基礎床１２０への固定は、従来、ユニット支持脚１０１の接床基台１０２の下面に接着剤を一個一個塗布して基礎床１２０の所定箇所に固着する方法が採用されているため、二重床の施工性が悪く、施工時間が長くなると共に施工コストも増大するなどの問題があった。
さらに中実材の支持ボルトを用いた場合、ゴム緩衝性の基台は介在しているものの、階上の床衝撃音や振動が階下に伝わり易く、特に集合住宅等においては遮音・制振効果のより一層の改善が求められている。
【０００８】
従って、本発明の目的は、生産性良くかつ低コストで製造でき、しかも長さが長いにも拘らず充分な強度を有し、特に床高の高い二重床の施工に好適に用いることができる支持ボルト及びそれを用いたユニット支持脚を提供することにある。
さらに本発明の目的は、遮音・制振効果に優れた二重床を作業性、施工性良く構築できる安価なユニット支持脚及びそれに用いる支持ボルトを提供し、もって特に床高の高い二重床の施工コストの低減、工期の短縮化を図ることにある。
【０００９】
【課題を解決するための手段】
前記目的を達成するために、本発明によれば、接床基台と、該基台に回動自在に立設された支持ボルトと、該支持ボルトの上部に螺合されたレベル調整用ナットを介して高さ調整自在に装着された支持板とからなるユニット支持脚において、上記支持ボルトが、その下端部又は下部に側方に拡張された鍔部が形成され、かつ円筒体本体が所定位置より下部の大径部から上部の該大径部よりも小さな直径の小径部になだらかな傾斜部を介して移行するように成形され、該小径部の少なくとも上部の外周面にネジ部が形成されていると共に頂端部に回転工具用係合部が形成された上下に貫通する中空円筒体から成ることを特徴とするユニット支持脚が提供される。
【００１０】
そして、前記接床基台は、垂直方向の貫通孔を有し、また、該接床基台の下面に上記貫通孔から側面に向けて延在する溝が形成されている。
また、接床基台には、支持ボルトの下端部を収容するための凹部が形成されている。好適には、前記支持ボルトの下端部に鍔部が形成され、接床基台内に該鍔部を受ける凹部が上方に開口するように形成され、該凹部の内壁部が上記貫通孔を囲繞する円筒状に形成されている。
【００１１】
さらに本発明によれば、下端部又は下部に側方に拡張された鍔部が形成され、かつ円筒体本体が所定位置より下部の大径部から上部の該大径部よりも小さな直径の小径部になだらかな傾斜部を介して移行するように成形され、該小径部の少なくとも上部の外周面にネジ部が形成されていると共に頂端部に回転工具用係合部が形成された中空円筒体から成るユニット支持脚用支持ボルトが提供される。好適な態様においては、上記回転工具用係合部は、小径部の直径よりも小さな直径の円筒部から成り、該円筒部の頂端面に少なくとも一対の対向する溝部が形成されている。別の好適な態様の回転工具用係合部は、小径部の直径よりも小さな外径寸法の外周部及び／又は内周部が多角形状、好ましくは六角形状の筒部から成る。該筒部の頂端面には、少なくとも一対の対向する溝部を有してもよいし、あるいは有さなくてもよい。
【００１２】
【発明の実施の形態】
本発明に係るユニット支持脚は、支持ボルトとして、下端部又は下部に側方に拡張された鍔部が座屈成形等により一体成形されていると共に、円筒体本体の所定位置より下部が大径部、上部が該大径部よりも小さな直径の小径部から成り、該大径部と小径部の間がなだらかな傾斜部となるように絞り成形され、該小径部の少なくとも上部の外周面にネジ部が形成された中空円筒体（中空パイプ）を用いることを特徴としている。従って、その作製が容易であると共に、長さが長い支持ボルトも低コストで製造でき、特に床高の高い二重床の施工に好適に用いることができる。
【００１３】
ところで、支持ボルトの長さを長くするためには、従来の支持ボルトを中間部で切断し、その間を中空パイプで接続することも考えられる。しかしながら、中空パイプの両端に支持ボルトの上半部及び下半部を接合する場合、接合強度の点から、中空パイプの両端部内周に雌ネジを切り、一旦螺着した後に加締め、溶接等により固着する方法を採用する必要があるが、この方法の場合、支持ボルトの生産性が低下すると共に、中空パイプとボルト部分の接合箇所に応力集中が起こり、この部分で折損する恐れがある。特に、支持ボルトが垂直ではなく若干傾いた状態に立設された場合、上記接合箇所で座屈を生じ易くなる。
これに対して、本発明の支持ボルトのように、中空パイプを素材として一体物として絞り成形により作製した場合、このような問題がなく、長さが長くても充分に高い強度を保持できる。また、二重床の床面荷重に耐える所定の強度を保持するためのコストは、従来の中実材の支持ボルトに比べて低くなる。
【００１４】
また、レベル調整用ナットの雌ネジ部は、規格に従った所定の呼び径にネジ切りされるので、支持ボルトの雄ネジ部もそれに対応した呼び径のものを使用する必要がある。しかしながら、床高さを高く、従って支持ボルトの長さを長くする場合、それに応じて強度的に充分に耐えるものとするために使用する中空パイプの太さを大きくすることが要求される。そのため、下部の太い中空パイプに上部の細い中空パイプを接合することも考えられるが、この場合にも前記したように接合箇所に応力集中が起こり、この部分で折損する恐れがある。このような問題も、本発明に従って絞り成形によって大径部と小径部の間がなだらかな傾斜部となるように一本の中空パイプから作製することにより解決され、種々の設置箇所に応じて支持ボルトに要求される種々の長さに容易に対応可能となる。また、絞り成形により中空パイプ素材の強度も増し、支持ボルトの長さが長くても充分に高い強度を保持できるようになる。なお、絞り成形は下部から上部にかけて何箇所かで段階的に行うこともでき、例えば小径部の下部の大径部を中径部と大径部の二部分に分け、大径部から中径部（小径部から見れば大径部）を経て小径部に至るようにすることもできる。
【００１５】
さらに、前記接床基台は、垂直方向の貫通孔を有し、かつその下面に該貫通孔から側面に向けて延在する溝が形成される。このような接床基台を有するユニット支持脚の場合、レベル調整用ナット上部に形成された接着剤溜りから接着剤を注入すると、接着剤はレベル調整用ナットと支持ボルトとの間に流入してその間を接着・固定するだけでなく、前記支持ボルトの中央貫通孔の中を流下して接床基台の下面に達し、該接床基台の下面に形成されている溝内に浸入して接床基台と基礎床との間も接着・固定する。従って、一回の接着剤注入作業によって、レベル調整用ナットと支持ボルトとの間の接着・固定と、接床基台と基礎床との間、さらには支持ボルトとの間の接着・固定を同時に行うことができ、接着剤注入の作業性が格段に向上する。
また、接床基台の貫通孔とその下面に形成された溝はエア・クッションの役割を果たすので、床に加えられる衝撃を緩和し、遮音・制振効果に優れている。さらにまた、床衝撃音の伝播を防止する効果においては、従来の中実の支持ボルトに比べて本発明のような中空の支持ボルトの方が優れている。
【００１６】
さらに、一旦組み込んだ支持ボルトが接床基台から外れたり、二重床構築後、地震の際の上下振動によって支持ボルトが接床基台から外れて二重床が倒壊する危険性を防止するために、前記支持ボルト及び／又は接床基台に抜け止め用の係合手段を設けることが好ましい。
このような抜け止め用の係合手段としては任意の手段を採用できるが、例えば、前記支持ボルトの下端部に鍔部を形成し、接床基台内に該鍔部を受けかつ掛止する凹部を形成するようにする。また、別の態様としては、円筒状の下端部が残るように支持ボルトの下部に鍔部を形成し、該支持ボルトの下端部が挿入される接床基台の貫通孔を、上方から下方にかけて、支持ボルトの下端部の外径と略等しい内径の小径部と該小径部よりも大きい内径の大径部とからなる貫通孔とし、支持ボルトの下端を拡開して接床基台の上記大径部の小径部近傍に拡開部が位置するようにしたり、あるいは抜け止め用のＥリング等を装着することができる。
【００１７】
【実施例】
以下、添付図面に示す実施例を説明しつつ本発明についてさらに具体的に説明する。
図１は、本発明のユニット支持脚の一実施例の接床基台１、該接床基台に回動自在に立設された支持ボルト１０、該支持ボルトの上部に螺合されるレベル調整用ナット２０及び該レベル調整用ナットが装着される支持板３０の組立状態を示している。
【００１８】
接床基台１はゴム、合成樹脂等の比較的硬質の弾性材料から作製されて、コンクリートスラブの基礎床１２０の床面にジャストフィットし、かつ防振の機能を果たすようにされている。接床基台１は、大径の円形基部２と該基部２の略中央部に突設された受け部３とから成り、これらを中心部で貫通する垂直方向の貫通孔４が形成されている。そして、上記受け部３の貫通孔４の周囲には、支持ボルト１０の下端部に形成された鍔部１１を挿入するための環状の凹部５が上方に開口するように形成され、該凹部５の内壁部６は上記貫通孔４を囲繞する円筒状になっている。また、該凹部５の外壁部７の内側上端縁には内側に若干突出した係合部８が形成され、この係合部８は支持ボルト１０の鍔部１１を凹部５内に押え、支持ボルト１０の鍔部１１が凹部５から抜け出ないように作用する。さらに、接床基台１の円形基部２の下面には、上記貫通孔４から側面にかけて延在する複数（図示の例では４個）の溝９が放射状（十文字状）に形成されている。
【００１９】
一方、支持ボルト１０は、中央貫通孔１８を有する金属製中空パイプから作製され、下端部に側方に突出する環状の鍔部１１が座屈成形されていると共に、円筒体本体が下部の大径部１２から上部の該大径部１２よりも小さな直径の小径部１４になだらかな傾斜部１３を介して移行するように絞り成形され、さらに小径部１４の上端部は該小径部１４の直径よりも小さな直径の円筒部にさらに絞り成形されて回転工具用係合部１６が形成されている。また、上記小径部１４の外周面にはネジ部１５が形成されている。なお、支持ボルト１０の上端は床パネル１２３の上面以上に突出しないようにするので、支持ボルト１０の小径部１４の少なくとも上部に、レベル調整用ナット２０の下端から床パネル１２３の上面までの高さＨに概略相当する長さ以上のネジ部１５を形成すれば、充分にレベル調整を行うことができる。
【００２０】
図１に示す回転工具用係合部１６は、図２に示すように、円筒状に絞り成形され、頂端面に対向する一対の溝部１７が形成されたものであり（十文字状に溝部１７を形成してもよい）、該溝部１７にマイナスのドライバーの先端を嵌め込み、支持ボルト１０を回転させるように構成したものであるが、図３に示すように回転工具用係合部１６ａの外周面及び内周面を六角状に絞り成形したり、図４に示すように回転工具用係合部１６ｂの内周面が六角状となるように絞り成形し、六角レンチ等の回転用工具の先端を嵌め込めるようにすることもできる。これらの場合、頂端面の溝部１７は形成しても形成しなくてもよいが、形成した場合には六角レンチとドライバーの両方が使用可能となる。
【００２１】
レベル調整用ナット２０は、図５及び図６に示すように、上記支持ボルト１０のネジ部１５の径と対応する内径の内周ネジ部２２を有する雌ネジ部２１と、該雌ネジ部２１の内径よりも大きな内径の上部の円筒部２４とから成り、該円筒部２４の略中間部に側方に突出する環状の支持部２５が座屈成形により形成されている。また、雌ネジ部２１の内周ネジ部２２には、ネジ山を切断するように軸線方向に１本又は複数本（図示の例では２本）の溝２３が形成されている。なお、図示の例では溝２３は内周ネジ部２２の上端から下方の所定位置までネジ山の一部を切断するように形成されているが、内周ネジ部２２の上端から下端にかけて貫通した溝を形成してもよい。但し、レベル調整用ナット２０内に注入する接着剤のタレを防止するためには、溝の長さを内周ネジ部２２の上端から下端近傍までに止めて、図５に示すような非貫通の溝２３とすることが好ましい。また、レベル調整用ナット２０の溝２３に代えて、あるいはそれに加えて、支持ボルト１０のネジ部１５の上端部に軸線方向に溝を形成してもよい。
【００２２】
上記レベル調整用ナット２０の支持板３０への取付けは従来通りでよい。すなわち、パーティクルボード、木質繊維板、木材等から作製された正方形又は長方形の支持板３０の挿入孔３１上部は面取りされて拡開され、挿入孔３１を除く支持板３０の上面全面には粘着層３３が形成されている。上記レベル調整用ナット２０はその支持部２５が支持板３０の下面に当接するまで該支持板３０の挿入孔３１に嵌合され、次いでその上部を拡開することにより、あるいはさらに支持板挿入孔３１の面取り部３２に部分的に埋没させることによって、支持板３０に強固に取り付けられる。それと共に、レベル調整用ナット２０の上部には接着剤溜り３４が形成される。なお、支持ボルト１０の上端部の回転工具用係合部１６は、小径部１４よりも小さな直径となるように絞り成形せず、図１１に示す従来の回転工具用係合部の場合と同様に単に頂端面に溝部を形成するだけでもよいが、図１に示すように絞り成形によって回転工具用係合部１６の外形寸法を小径部１４の直径よりも小さくした方が、接着剤溜り３４がより大きな空間となり、接着剤注入作業が容易となるので好ましい。また、図１及び図５に示すように、レベル調整用ナット２０の円筒部２４の内径を雌ネジ部２１の内径よりも大きくすることにより、注入した接着剤が支持ボルト１０のネジ部１５とレベル調整用ナット２０の雌ネジ部２１の螺合部にスムーズに浸透し易くなるので好ましい。
【００２３】
上記のように支持板３０に装着されたレベル調整用ナット２０の雌ネジ部２１を、下端鍔部１１が接床基台１の凹部５内に回動自在に嵌め込まれた支持ボルト１０の小径部１４上部に螺合することにより、図１に示すようにユニット支持脚が組み立てられている。
このようにして組み立てられた本発明のユニット支持脚を用い、その支持板３０によって床パネル１２３を支持した状態に床パネルの敷設を行う二重床の施工方法は、図１３及び図１４を参照して説明した従来の施工方法と同様であり、その説明は省略する。但し、本発明のユニット支持脚を用いた場合、後述するように、一回の接着剤注入作業により、レベル調整用ナット２０と支持ボルト１０との間の接着・固定だけでなく、接床基台１と基礎床１２０との間、さらには支持ボルト１０との間も接着・固定できる。なお、接床基台１の下面に形成された溝９の長さは、必ずしも貫通孔４から円形基部２の側面に至る長さとしないでも、その途中までの長さとしても接着剤が溝に侵入するので、接床基台１と基礎床１２０との間の接着・固定は可能となる。但し、溝の長さによっては接着・固定力が弱くなる。
【００２４】
図７及び図８はレベル調整用ナットの他の変形例を示し、この実施例のレベル調整用ナット２０ａの場合、雌ネジ部２１ａの下端部に側方に突出する環状の支持部２５ａが一体成形され、また、雌ネジ部２１ａの上部に内径が雌ネジ部２１ａの内径よりも大きく外径が同一の円筒部２４ａが形成されている点において、前記図５及び図６に示すレベル調整用ナット２０と異なる。このような態様においても、レベル調整用ナット２０ａの上部により大きな空間の接着剤溜りを形成することができる。なお、雌ネジ部２１ａの内周ネジ部２２ａの上端から下方所定位置まで軸線方向に１本又は複数本（図示の例では２本）の溝２３ａを形成する点、及び支持板への装着態様は、図１及び図５に示す実施例と同様である。
【００２５】
図９及び図１０は、本発明のユニット支持脚の別の実施例を示し、図９は支持ボルト下部と接床基台の取付状態、図１０は接床基台の斜視図を示している。
この実施例の場合、接床基台１ａの円形基部２ａの下面に貫通孔４ａから側面にかけて延在する４個の溝９ａが放射状（十文字状）に形成されていることは前記した実施例と同様であるが、受け部３ａの上部に内側に折曲した複数（図示の例では４個）の係合部８ａが突設され、該係合部８ａの内側に支持ボルト１０ａの鍔部１１ａを受ける凹部５ａが形成されている点において前記した実施例とは異なる。
この実施例の場合、支持ボルト１０ａの大径部１２ａの下端部が座屈成形されて下端に鍔部１１ａが形成され、この鍔部１１ａを上記接床基台１ａの凹部５ａに挿入、配座させることにより、支持ボルト１０ａが接床基台１ａに回動自在に立設されると共に、上記係合部８ａにより支持ボルト１０ａの接床基台１ａからの抜けが防止される。
【００２６】
図１１は、本発明のユニット支持脚の他の実施例の支持ボルト下部と接床基台の取付状態を示している。
この実施例においては、接床基台１ｂの受け部３ｂに形成された支持ボルト１０ｂの外径と略等しい内径の貫通孔４ｂの下部に、該貫通孔４ｂよりも大きい内径の凹部（貫通孔大径部）５ｂが形成され、貫通孔４ｂの下部に段差部が形成されるように構成されている。なお、接床基台１ｂの円形基部２ｂの下面に、上記凹部５ｂから側面にかけて延在する複数（図示の例では４個）の溝９ｂが放射状（十文字状）に形成されていることは、前記実施例と同様である。
一方、支持ボルト１０ｂは、中央貫通孔１８ｂを有する中空パイプから作製され、大径部１２ｂの下端から上方に所定距離離間した位置外周面に側方に突出する環状の鍔部１１ｂが座屈成形され、接床基台１ｂに対する荷重受面が大きくなるように構成されている。そして、支持ボルト１０ｂの基端部１９ｂをワッシャ４０を介して上記接床基台１ｂの貫通孔４ｂに嵌挿し、基端部１９ｂ下端を拡開することにより、支持ボルト１０ｂは鍔部１１ｂを支持部として接床基台１ｂに回動自在に立設された状態となり、また拡開された基端部１９ｂ下端が基台１ｂの貫通孔４ｂ下部の凹部５ｂとの間の段差部に掛止されるため、接床基台１ｂからの支持ボルト１０ｂの抜けが防止される。
【００２７】
図１２は、本発明のユニット支持脚のさらに他の実施例の接床基台と支持ボルト下部の取付状態を示している。図１２に示すユニット支持脚は、接床基台１ｃの受け部３ｃに形成された貫通孔４ｃの下部に該貫通孔４ｃよりも大きい内径の凹部５ｃが形成され、また接床基台１ｃの円形基部２ｃの下面に、上記凹部５ｃから側面にかけて延在する複数（図示の例では４個）の溝９ｃが放射状に形成されている点において前記図１１に示す実施例と同じである。
一方、支持ボルト１０ｃは、大径部１２ｃの下端から上方に所定距離離間した位置外周面に側方に突出する環状の鍔部１１ｃが座屈成形されている点は前記図１１に示す実施例と同じであるが、基端部１９ｃの先端部にＥリング４２を嵌め込むためのリング状溝４１が形成されている点において前記図１１に示す実施例と異なる。
この実施例の場合、支持ボルト１０ｃの基端部１９ｃを接床基台１ｃの貫通孔４ｃ内に挿入した後、リング状溝４１にＥリング４２を嵌め込むことにより、接床基台１ｃから支持ボルト１０ｃが抜け出ることが防止される。なお、支持ボルトの抜け止め手段としては、前記実施例のような手段に限定されることはなく、各種の手段が採用可能である。
【００２８】
前記いずれの実施例においても、支持ボルト１０，１０ａ，１０ｂ，１０ｃの中央貫通孔１８，１８ａ，１８ｂ，１８ｃと接床基台１，１ａ，１ｂ，１ｃの貫通孔４，４ａ，４ｂ，４ｃは連通しており、また接床基台１，１ａ，１ｂ，１ｃの貫通孔４，４ａ，４ｂ，４ｃと下面に形成された溝９，９ａ，９ｂ，９ｃも連通しているので、このようなユニット支持脚を用いて前記従来技術で説明したように床パネルの敷設及び床面レベルの調整を行った後、レベル調整用ナット上部に形成された接着剤溜り３４から接着剤を注入すると、接着剤はレベル調整用ナット２０，２０ａと支持ボルト１０，１０ａ，１０ｂ，１０ｃとの間に流入し、かつレベル調整用ナット２０，２０ａの溝２３，２３ａに浸透してそれらの螺合部を接着・固定するだけでなく、前記支持ボルト１０，１０ａ，１０ｂ，１０ｃの中央貫通孔１８，１８ａ，１８ｂ，１８ｃの中を流下して接床基台１，１ａ，１ｂ，１ｃの下面に達し、該接床基台１，１ａ，１ｂ，１ｃの下面に形成されている溝９，９ａ，９ｂ，９ｃ内に浸入して接床基台と基礎床との間、さらには接床基台と支持ボルトの間も接着・固定する。従って、一回の接着剤注入作業によって、レベル調整用ナットと支持ボルトとの間の接着・固定と、接床基台と基礎床及び支持ボルトとの間の接着・固定を同時に行うことができ、接着剤注入の作業性が格段に向上する。
また、接床基台１，１ａ，１ｂ，１ｃの貫通孔４，４ａ，４ｂ，４ｃとその下面に形成された溝９，９ａ，９ｂ，９ｃはエア・クッションの役割を果たすので、基礎床１２０に加えられる衝撃を緩和し、遮音・制振効果に優れている。
【００２９】
以上、本発明の好適な実施例について説明したが、本発明は前記実施例に限定されるものではなく、各種設計変更が可能である。
例えばユニット支持脚の支持板と床パネルの仮固定は、支持板上面及び／又は床パネルの下面縁部の所定箇所に、支持板の上面に載置される床パネルの少なくとも横ずれを防止するに充分な固定力を有する保留手段を設けることによって行うことができる。このような保留手段による接合力は、敷設された床パネルの横ずれや転倒等を生ずることなく床パネルをユニット支持脚の支持板上面に確実に固定するには充分であるが、一旦接合された床パネルを支持板から簡単に引き剥すことができる程度のものである。従って、上記保留手段の接合力によってユニット支持脚の支持板上に床パネルを載置、固定した状態に二重床を構築した後であっても、必要に応じて容易に床パネルを剥がし、床下での配線、配管等の交換作業や新設作業等を行うことができる。また、床パネル敷設時に床パネルの位置がずれて配置されたときにも、従来の接着力の強い両面粘着テープを支持板上面に貼着したユニット支持脚を用いた場合にはその配置ずれを直すのが容易ではなかったが、上記保留手段によって固定された場合には、床パネルを支持板から簡単に引き剥すことができるので、床パネルの配置ずれを簡単に直すことができる。このような保留手段による仮固定は、敷設する二重床のフロアー面の一部のみに適用することもできる。
【００３０】
前記保留手段としては、面ファスナーの雄部材（雌部材のパイルに引っ掛けるためのフック状等のエレメントを多数、基材に植設したものなど）と雌部材（雄部材のフックを引っ掛けるためのパイル状のエレメントを多数、基材に植設したものなど）、磁気シート（マグネットプレート）、又は繰返し着脱可能な粘着剤、あるいはこれらの組み合わせを使用できる。
前記繰り返し着脱可能な粘着剤、即ち着脱可能な程度の接着力を有し、しかも、着脱を繰返してもほとんど接着力が失われない接着効果を有する粘着剤としては、例えば、ポスト・イット（商標名、（株）住友スリーエム社製）で使用されている粘着剤を使用できる。
保留手段として面ファスナーを用いる場合、面ファスナーの雄部材及び雌部材のいずれか一方の部材をエレメントが上面となるようにその基材側を支持板上面に固着し、また他方の部材を上記と同様に、支持板上の面ファスナー部材と接する床パネルの下面縁部の所定箇所に固着する。
前記保留手段としてボンド磁石等の磁気シートを使用する場合、前記面ファスナーの場合と同様に、磁極の異なる２枚の磁気シートを支持板上面及び床パネルの下面縁部所定箇所に固着することもできる。
【００３１】
【発明の効果】
以上のように、本発明に係るユニット支持脚は、中空パイプを素材として、下部又は下端部に鍔部を座屈成形すると共に、下部の大径部とその上部の小径部の間がなだらかな傾斜部となるように絞り成形され、小径部の少なくとも上部外周面にネジ部を形成した支持ボルトを用いているため、その作製が容易であると共に、長さが長い支持ボルトも低コストで製造でき、特に床高の高い二重床の施工に好適に用いることができる。また、本発明の支持ボルトは中空パイプを素材として一体物として作製され、かつ大径部と小径部の間がなだらかな傾斜部となるように絞り成形されているため、支持ボルトの長さが長くても充分に高い強度を保持でき、二重床の床面荷重に耐える所定の強度を保持するためのコストは、従来の中実材の支持ボルトに比べて低くなる。しかも、レベル調整用ナットの雌ネジ部のネジ径が規格のものであっても、それに対応した径に支持ボルトの小径部の直径を絞り成形でき、支持ボルトの長さが長くなることによって強度上直径の大きな大径部が要求されても、支持ボルトに要求される種々の長さ及び径に容易に対応可能となる。
【００３２】
また、垂直方向の貫通孔を有し、かつその下面に該貫通孔から側面に向けて延在する溝が形成された接床基台を有するユニット支持脚の場合、レベル調整用ナット上部に形成された接着剤溜りから接着剤を注入する一回の接着剤注入作業によって、レベル調整用ナットと支持ボルトとの間の接着・固定と、接床基台と基礎床及び支持ボルトとの間の接着・固定を同時に行うことができ、接着剤注入の作業性が格段に向上する。また、接床基台の基部を大きくすることにより、基礎床との接着力を大きくできると共に、支持ボルトを安定して立設できる。
さらに、接床基台の貫通孔とその下面に形成された溝はエア・クッションの役割を果たすので、床に加えられる衝撃を緩和し、遮音・制振効果に優れている。さらにまた、本発明のような中空の支持ボルトを用いたユニット支持脚は、従来の中実の支持ボルトを用いたユニット支持脚に比べて、床衝撃音の伝播を防止する効果において優れている。
さらにまた、前記支持ボルトの下端部及び／又は接床基台に抜け止め用の係合手段を設けることにより、耐震性に優れた二重床構造を構築することができる。
【図面の簡単な説明】
【図１】本発明に係るユニット支持脚の一実施例の組立状態を示す部分破断側面図である。
【図２】図１に示す支持ボルトの平面図である。
【図３】支持ボルトの回転工具用係合部の他の実施例を示す平面図である。
【図４】支持ボルトの回転工具用係合部のさらに他の実施例を示す平面図である。
【図５】図１に示すレベル調整用ナットを示す部分破断側面図である。
【図６】図５のＡ−Ａ線矢視断面図である。
【図７】レベル調整用ナットの他の実施例を示す部分破断側面図である。
【図８】図７のＢ−Ｂ線矢視断面図である。
【図９】本発明に係るユニット支持脚の別の実施例の接床基台と支持ボルトの取付部の状態を示す部分破断側面図である。
【図１０】図９に示す接床基台の斜視図である。
【図１１】本発明に係るユニット支持脚の他の実施例の接床基台と支持ボルトの取付部の状態を示す部分破断側面図である。
【図１２】本発明に係るユニット支持脚のさらに他の実施例の接床基台と支持ボルトの取付部の状態を示す部分破断側面図である。
【図１３】従来のユニット支持脚の一例の断面図である。
【図１４】従来のユニット支持脚を用いて二重床の床パネルまで施工した状態を示す破断斜視図である。
【符号の説明】
１，１ａ，１ｂ，１ｃ  接床基台
４，４ａ，４ｂ，４ｃ  貫通孔
５，５ａ，５ｂ，５ｃ  凹部
８，８ａ  係合部
９，９ａ，９ｂ，９ｃ  溝
１０，１０ａ，１０ｂ，１０ｃ  支持ボルト
１１，１１ａ，１１ｂ，１１ｃ  鍔部
１２，１２ａ，１２ｂ，１２ｃ  大径部
１３  傾斜部
１４  小径部
１５  ネジ部
１６，１６ａ，１６ｂ  回転工具用係合部
１７  溝部
１８，１８ａ，１８ｂ，１８ｃ  中央貫通孔
２０，２０ａ  レベル調整用ナット
２１，２１ａ  雌ネジ部
２４，２４ａ  円筒部
２５，２５ａ  支持部
３０  支持板
３３  粘着層
３４  接着剤溜り
１０１  ユニット支持脚
１０２  接床基台
１０８  レベル調整用ナット
１１０  支持板
１２０  基礎床（コンクリートスラブ）
１２３  床パネル
【図１】
0003592047.tif 000002
【図２】
0003592047.tif 000003
【図３】
0003592047.tif 000004
【図４】
0003592047.tif 000005
【図５】
0003592047.tif 000006
【図６】
0003592047.tif 000007
【図７】
0003592047.tif 000008
【図８】
0003592047.tif 000009
【図９】
0003592047.tif 000010
【図１０】
0003592047.tif 000011
【図１１】
0003592047.tif 000012
【図１２】
0003592047.tif 000013
【図１３】
0003592047.tif 000014
【図１４】
0003592047.tif 000015